(57)【要約】【課題】給湯システムを利用して簡易且つ見栄え良く構築できる残り湯利用システムを提供する。【解決手段】給湯器６と浴槽２に設けられた給水口７とを接続する給水路９に設けられる接続部と、該接続部に一端部が接続されると共に他端部が浴室１の隣室３に設置された洗濯機５に接続される接続路２２とを備える。接続路２２は洗濯機５から前記隣室３と浴室１との間の壁２３に通された後に浴室１に設けられたカウンター１６の内部に導入され、この後に前記接続部に接続される。前記給湯器６を給水路９を介して給水口７に連通させて給湯器６から浴槽２への給水を可能にする。前記給水口７を給水路９及び接続路２２を介して洗濯機５に連通させて、洗濯機５に設けられたポンプ２１を用いて浴槽２の残り湯を洗濯機５へ供給可能にする。前者の給水可能状態と後者の残り湯供給可能状態とを切り替える切替手段を備える。【選択図】図１
2011153442.tif 000002
【特許請求の範囲】
【請求項１】
給湯器と浴槽に設けられた給水口とを接続する給水路に設けられる接続部と、該接続部に一端部が接続されると共に他端部が浴室の隣室に設置された洗濯機に接続される接続路とを備え、接続路は洗濯機から前記隣室と浴室との間の壁に通された後に浴室に設けられたカウンターの内部に導入され、この後に前記接続部に接続され、前記給湯器を給水路を介して給水口に連通させて給湯器から浴槽への給水を可能にする給水可能状態と、前記給水口を給水路及び接続路を介して洗濯機に連通させて、洗濯機に設けられたポンプを用いて浴槽の残り湯を洗濯機へ供給可能にする残り湯供給可能状態とを切り替える切替手段を備えることを特徴とする残り湯利用システム。
【発明の詳細な説明】
【技術分野】
【０００１】
本発明は浴槽内の残り湯を洗濯機で利用するためのシステムに関する。
【背景技術】
【０００２】
例えば特許文献１には、浴槽内の残り湯を浴室の隣室に設置された洗濯機に供給するシステムが開示されている。この残り湯利用システムは、ジェットバスシステムが有する循環管路に分岐管路を介して洗濯機が接続され、循環管路に設けられたジェットバス用ポンプにより浴槽内の残り湯を洗濯機に供給できるようになっている。
【先行技術文献】
【特許文献】
【０００３】
【特許文献１】特開２００４−１８０７１４号公報
【発明の概要】
【発明が解決しようとする課題】
【０００４】
ところが特許文献１は、浴槽にジェットバスの設備を設けることを前提としたものであり、ジェットバスシステムを利用しない場合には浴槽内の残り湯を洗濯機に供給するシステムを浴槽に設けられる設備を利用して構築できない。
【０００５】
本発明は上記事情に鑑みてなされたものであって、給湯システムを利用して簡易且つ見栄え良く構築できる残り湯利用システムを提供することを課題とする。
【課題を解決するための手段】
【０００６】
上記課題を解決するために本発明の残り湯利用システムは以下の構成を有する。給湯器６と浴槽２に設けられた給水口７とを接続する給水路９に設けられる接続部と、該接続部に一端部が接続されると共に他端部が浴室１の隣室３に設置された洗濯機５に接続される接続路２２とを備える。接続路２２は洗濯機５から前記隣室３と浴室１との間の壁２３に通された後に浴室１に設けられたカウンター１６の内部に導入され、この後に前記接続部に接続される。前記給湯器６を給水路９を介して給水口７に連通させて給湯器６から浴槽２への給水を可能にする。前記給水口７を給水路９及び接続路２２を介して洗濯機５に連通させて、洗濯機５に設けられたポンプ２１を用いて浴槽２の残り湯を洗濯機５へ供給可能にする。前者の給水可能状態と後者の残り湯供給可能状態とを切り替える切替手段を備える。
【０００７】
この残り湯利用システムは、給湯システムが有する給水路９と、残り湯吸い込み用のポンプ２１を有する洗濯機５とを接続路２２で接続すると共に前記切替手段を設けることにより、簡易に構築できる。また、洗濯機５から壁２３を通して浴室１内に導入された接続路２２は、カウンター１６の内部に導入した後に接続部に接続されるため、接続路２２をカウンター１６で隠して浴室１の見栄えを良くすることができる。
【発明の効果】
【０００８】
本発明にあっては、浴槽内の残り湯を洗濯機に供給する残り湯利用システムを利用して簡易且つ見栄え良く構築できる。
【図面の簡単な説明】
【０００９】
【図１】本発明の実施形態の残り湯利用システムを示す説明図である。
【図２】同上の残り湯利用システムを示す側面図である。
【図３】他の実施形態の残り湯利用システムを示す側面図である。
【発明を実施するための形態】
【００１０】
以下本発明を添付図面に基づいて説明する。図１及び図２に示される本実施形態の残り湯利用システムは、浴室１に設置された浴槽２に給湯する給湯システムを利用して、浴槽２内の残り湯を浴室１の隣室３に設置された洗濯機５に供給するものである。
【００１１】
前記給湯システムは、給湯器６と、浴槽２に設けられた給水口７と、一端が給水口７に接続されると共に他端が給湯器６の出水口８に接続される給水路９とで構成されている。
【００１２】
給湯器６の入水口１０は水源となる水道に水供給管１１を介して接続され、水供給管１１には給湯器６への給水の有無を切り替える電磁弁からなる開閉弁１２が設けられている。
【００１３】
給水路９は、浴室１内において露出しないよう浴室１に設置した設置物の内部に形成された収納空間に収納されている。前記収納空間としては、浴槽２の洗い場側に着脱自在に設けられるエプロン１３と浴槽２の槽壁１５との間に形成された空間や、浴室壁１７に突設されたカウンター１６の内部、浴槽２の槽壁１５とエプロン１３側を除く三方の浴室壁１７との間に形成された空間等が挙げられる。
【００１４】
図示例ではカウンター１６が浴槽２のエプロン１３と隣室３側の浴室壁１７（以下、この浴室壁１７を特に他の浴室壁１７と区別する場合は浴室壁１７ａと記載する）の間に架け渡されるように設けられている。また、給水路９が浴室外に設置された給湯器６から浴室壁１７を通してカウンター１６に導入されてエプロン１３に通され、この後、槽壁１５に設けられた給水口７に接続されている。給水路９はカウンター１６内において水平又は浴槽２側に向かって下り勾配がつくよう若干傾斜した横向きに伸び、これにより給水路９内に残水が残り難い構造とされる。
【００１５】
洗濯機５には、ホースの端部を着脱自在に接続可能なホース接続口１８が設けられている。ホース接続口１８には洗濯機５内に設けられた取水路１９の一端部が接続され、取水路１９の他端部は洗濯機５に内装された洗濯槽２０内に臨んでいる。取水路１９には残り湯吸い込み用のポンプ２１が設けられている。
【００１６】
ポンプ２１を用いて浴槽２内の残り湯を洗濯槽２０に取り入れるには、ホース接続口１８に図示しない残り湯取水用のホースの一端部を接続すると共に該ホースを浴室１の出入り口に通してその他端部を浴槽２内の残り湯に漬け、ポンプ２１を駆動する。このようにすると、ポンプ２１により、浴槽２内の残り湯が前記ホース及び取水路１９を介して洗濯槽２０に供給される。
【００１７】
本実施形態の残り湯利用システムは、給水路９に接続部を設けると共に該接続部と洗濯機５とを接続路２２で接続することにより構築されている。
【００１８】
浴室１と隣室３との間の壁２３は、隣室３の浴室１側の壁をなす間仕切壁２５と浴室壁１７ａとからなる。
【００１９】
接続路２２を施工するにあたって、間仕切壁２５の浴槽２の上面より高い上部、及び、浴室壁１７ａの下部のカウンター１６に対向する箇所には、壁出し金具２６、２７が設けられる。
【００２０】
給水路９の浴槽２近傍に位置する中途部には三方向電磁弁２９が設けられている。三方向電磁弁２９が有する三つのポート２９ａ〜２９ｃのうち、第一ポート２９ａは給湯器６側の給水路９ａに接続され、第二ポート２９ｂは浴槽２側の給水路９ｂに接続されている。
【００２１】
三方向電磁弁２９の第三ポート２９ｃには接続路２２の一端部が接続され、接続路２２の他端部は洗濯機５に接続されている。すなわち前記接続部は三方向電磁弁２９の第三ポート２９ｃで構成されている。
【００２２】
接続路２２は、洗濯機５から壁出し金具２６を介して間仕切壁２５と浴室壁１７ａの間に導入され、この後、壁出し金具２７を介して浴室１のカウンター１６の内部に導入され、次にエプロン１３に通されて槽壁１５とこの周囲の浴室壁１７やエプロン１３との間に形成される浴槽周囲空間３０に導入され、この空間３０において三方向電磁弁２９の第三ポート２９ｃに接続される。なお、接続路２２はカウンター１６内において水平又は浴槽２側に向かって下り勾配がつくよう若干傾斜した横向きに伸び、これにより接続路２２内に残水が残り難い構造とされる。また、三方向電磁弁２９はカウンター１６の内部に設けてもよく、すなわちこの場合は、接続路２２がカウンター１６の内部において第三ポート２９ｃに接続される。
【００２３】
接続路２２の少なくとも洗濯機５から壁出し金具２６までの部分はホース３１で構成され、その他の部分は、配管若しくはホース又は配管とホースの両者で構成される。接続路２２は、ホース３１の端部を前記残り湯取水用のホースに代えて洗濯機５のホース接続口１８に接続することで、洗濯機５に接続される。図示例のホース３１は、接続路２２の洗濯機５から壁出し金具２６までの部分を構成している。
【００２４】
なお、ホース３１は接続路２２の洗濯機５から壁出し金具２７までの部分、あるいは接続路２２の洗濯機５から三方向電磁弁２９までの部分を構成するものであってもよい。また壁出し金具２６はホース３１を接続しない状態においてキャップ等を取り付けることで閉塞されるようにしてもよい。
【００２５】
ここで、図２の例では、壁出し金具２６を介して壁２３内に導入された接続路２２を下位のカウンター１６の内部に導入するために、間仕切壁２５と浴室壁１７の間において下方に伸ばしている。しかし、図３のように接続路２２を浴室１内において下方に伸ばしてカウンター１６に導入してもよい。
【００２６】
図３の例では、壁出し金具２７を浴室壁１７において壁出し金具２６に対向する位置に設けている。また、浴室壁１７のカウンター１６の上方位置に浴室１内側に露出した壁出し金具２７を覆うと共に下端がカウンター１６に至るまで形成された小物収納部材等からなる突設物３２を設けている。そして、接続路２２を壁出し金具２７から突設物３２内に導入し、突設物３２内を通してカウンター１６の内部に導入している。このようにすると、浴室壁１７や間仕切壁２５を建て込んだ後に接続路２２を施工するにあたって、接続路２２を露出させることなく容易にカウンター１６の内部にまで導くことができる。このため、本発明の残り湯利用システムを既設の建物に設ける場合に好適である。
【００２７】
前記給湯システムを用いて浴槽２に給湯するには、開閉弁１２を開くと共に三方向電磁弁２９の第三ポート２９ｃを閉じて、給湯器６を運転する。このようにすると給湯器６で加熱された湯は、給水路９に流入した後、三方向電磁弁２９及び給水口７を経て浴槽２に吐出される。この給湯を停止するには開閉弁１２を閉じればよい。
【００２８】
また、浴槽２内の残り湯を洗濯機５に取り入れるには、三方向電磁弁２９の第一ポート２９ａを閉じた状態で洗濯機５のポンプ２１を運転すればよい。このようにすると、浴槽２内の残り湯は、給水口７を介して給水路９に流入し、この後、三方向電磁弁２９を通過して、ホース接続口１８から取水路１９を経て洗濯槽２０内に流入する。
【００２９】
すなわち、三方向電磁弁２９は、給湯器６を給水路９を介して浴槽２に連通させた給水可能状態と、給水口７を給水路９及び接続路２２を介して洗濯機５に連通させ且つ給湯器６側の給水路９ａを閉じた残り湯供給可能状態とに切り替える切替手段を構成している。
【００３０】
このように浴槽２内の残り湯を洗濯機５に供給することで、この残り湯を用いて洗濯ができる。なお、給湯器６、開閉弁１２、及び三方向電磁弁２９は、浴室１や隣室３等に設けられた図示しない操作器により操作される。
【００３１】
以上説明した本実施形態の残り湯利用システムは、給水路９と洗濯機５を接続路２２で接続すると共に三方向電磁弁２９のような切替手段を設けることで、簡易に構築できる。すなわち、この残り湯利用システムは、給湯システムが有する給水路９と、洗濯機５が有する残り湯吸い込み用のポンプ２１を利用して構築されたシステムと言える。
【００３２】
また、建物の新設時や改築時において、給湯システムの給水路９に三方向電磁弁２９と、接続路２２の三方向電磁弁２９からホース３１が着脱自在に連結される連結部（すなわち図１の例における壁出し金具２６）までの部分を予め施工しておくとよい。このようにすれば、後に洗濯機５と前記連結部とをホース３１で接続するだけで簡単に残り湯利用システムを構築できる。
【００３３】
また、洗濯機５から壁２３を通して浴室１内に導入された接続路２２は、カウンター１６の内部に導入した後に三方向電磁弁２９からなる接続部に接続されるため、接続路２２をカウンター１６で隠して浴室１の見栄えを良くすることができる。
【００３４】
また、接続路２２は間仕切壁２５の浴槽２の上面より高い位置に設けられた壁出し金具２６を介して浴室１側に導入されるので、浴槽２内の湯水が意図せずに給水路９及び接続路２２を介して洗濯機５側に逆流して洗濯機５側に流出することも防止できる。
【００３５】
なお、本実施形態では、給水口７を給水路９及び接続路２２を介して洗濯機５に連通させると共に接続部よりも給湯器６側の給水路９の水の流れを遮断する切替手段を三方向電磁弁２９で構成した。しかし、切替手段はこれに限定されるものではなく、例えば接続部よりも給湯器６側の給水路９と、接続路２２との夫々に電磁弁からなる開閉弁を設け、これら開閉弁で切替手段を構成する等してもよい。また、給水路９に給湯器６の水を浴槽２に供給するポンプを設けてもよい。さらに、浴槽２と給湯器６を戻り管で接続し、該戻り管と給水路９で構成した循環路に循環用ポンプを設け、循環用ポンプで浴槽２内の水を循環させると共に、この水を給湯器６で加熱して追い炊きを行えるようにしてもよい。この他、本発明は主旨を外れない範囲で適宜設計変更可能である。
【符号の説明】
【００３６】
１  浴室
２  浴槽
３  隣室
５  洗濯機
６  給湯器
７  給水口
９  給水路
１６  カウンター
２１  ポンプ
２２  接続路
２３  壁
【図１】
2011153442.tif 000003
【図２】
2011153442.tif 000004
【図３】
2011153442.tif 000005